(57)【要約】【課題】  枕およびクッションにはさまざまな考案がなされているにもかかわらず、弾力性の好みになどに個人差があり、使用する個人が調整できる枕およびクッションが求められている。【解決手段】  出願人が権利を有する特許３６７３６２９号による織布あるいは不織布からなる２枚の布材間に、多数の木製スライス片からなる主材料を介在させるとともに、それら主材料を圧縮しながら互いに縫い合わせて１枚のマット材を構成する一方、このようにした複数枚のマット材をさらに圧縮しながら縫い合わせてなるマットを素材として用い、この素材を積層して用いることにより、素材の積層を個人が容易に調整することが可能となることでこの課題を解決する。【選択図】図１
2008279234.tif 000002
【特許請求の範囲】
【請求項１】
織布あるいは不織布からなる２枚の布材間に、多数の木製スライス片からなる主材料を介在させるとともに、それら主材料を圧縮しながら互いに縫い合わせて１枚のマット材を構成する一方、このようにした複数枚のマット材をさらに圧縮しながら縫い合わせてなるマットを積層してなる素材とし、この素材を積層して用いた枕およびクッション。
【発明の詳細な説明】
【技術分野】
【０００１】            本発明は、枕およびクッションに関するものである。織布あるいは不織布からなる２枚の布材間に、多数の木製スライス片からなる主材料を介在させるとともに、それら主材料を圧縮しながら互いに縫い合わせて１枚のマット材を構成する一方、このようにした複数枚のマット材をさらに圧縮しながら縫い合わせてなるマットを素材とし、この素材を積層して用いることを特徴とする。
【背景技術】
【０００２】      従来、枕およびクッションにはさまざまな考案がなされている。この例として、特許文献１に開示されているものがある。
【特許文献１】                登録実用新案第３１０３９２７号公報
【発明の開示】
【発明が解決しようとする課題】
【０００３】      しかしながら、枕およびクッションにはさまざまな考案がなされているにもかかわらず、枕の場合には、頚椎の形状の個人差および、素材の弾力性および高さなどの好みの違いが多様であり、クッションの場合には、体を支える状態において弾力性の好みに個人差があり、使用する個人が調整できる枕およびクッションが求められている。
【課題を解決するための手段】
【０００４】      上記課題は、出願人が権利を有する特許３６７３６２９号による織布あるいは不織布からなる２枚の布材間に、多数の木製スライス片からなる主材料を介在させるとともに、それら主材料を圧縮しながら互いに縫い合わせて１枚のマット材を構成する一方、このようにした複数枚のマット材をさらに圧縮しながら縫い合わせてなるマットを素材（以下、本素材という）とし、本素材を積層して用いるため、本素材の積層を個人が容易に調整することが可能なことで解決される。
【発明の効果】
【０００５】      本素材は、木製スライス片を主材料にしているので、その木の特性である吸湿性、脱臭性および防カビ性などの機能を備えたマットであり、その厚さが３ｍｍ〜５ｍｍとすることが可能なマットであるため、積層の調整は容易である。また、本素材は弾力性が豊富であり、復元率も高い。本発明により、個人が自分の好みに応じた微調整が可能な枕およびクッションを得ることができることとなり、同時に本素材が有する森林浴効果を得ることとなる。
【発明を実施するための最良の形態】
【０００６】      本発明の具体的な形態は、次のとおりである。
（１）枕の外被は、円筒形および変形円筒形であり、接地面に本素材の挿入用ファスナーを有する。外被素材は綿が望ましい。クッションにおいても同様である。
（２）本素材を図１あるいは図２に形成し、枕およびクッションの外被に挿入する。弾性力保持のためには、中心部からロール状の巻き加工を行い、積層を加えることが望ましい。このロール状巻き加工は、本素材の有する低反発力を増幅させることとなる。
（３）枕およびクッションの形状に応じて複数のロール状巻き加工を行なう。複数のロール状巻き加工を行なう場合には、外側にもう一度巻き加工することが望ましい。
（４）使用する個人は、本素材に加減調整をおこない、自分の好みの高さと弾力を調整する。本素材はハサミで容易に切断可能である。なお、販売流通においては、製造者が本素材を多めに充填し、使用する個人がハサミ等による切断・減少の方法にて調整が可能となる。
【産業上の利用可能性】
【０００７】      本素材は、出願人が権利を有する特許３６７３６２９号の本素材製造装置により、量産が可能であり、枕およびクッションの外被も従来技術による量産が可能である。工業的に量産が可能である上に、ファスナー以外は天然素材であるため、廃棄時においても環境に優しい。
【図面の簡単な説明】
【０００８】
【図１】      本素材を中心部からロール状巻き加工を施した斜視図である。
【図２】      本素材を中心部からロール状巻き加工を施した斜視図である。
【図１】
2008279234.tif 000003
【図２】
2008279234.tif 000004
【手続補正書】
【提出日】平成19年7月31日(2007.7.31)
【手続補正１】
【補正対象書類名】明細書
【補正対象項目名】発明を実施するための最良の形態
【補正方法】追加
【補正の内容】
【発明を実施するための最良の形態】
（５）上記とは別段の方法として、使用する個人が自分の好みの高さと弾力を調整することを容易にするため、円筒形の枕外被に本素材をロール状にて挿入した複数個を枕カバー〔図３〕にて束ねる方法〔図４〕がある。組み合わせる円筒形のそれぞれの直径は、６ｃｍから１２ｃｍの１ｃｍ単位が望ましい。枕カバー内側と枕外被の外側にはマジックテープ（登録商標）を装着し、付帯する紐の結束にて個人が好む高さと弾力を調整することが可能となる。
【手続補正２】
【補正対象書類名】明細書
【補正対象項目名】図面の簡単な説明
【補正方法】追加
【補正の内容】
【図面の簡単な説明】
【図３】
枕カバー
【図４】
複数個を枕カバーにて束ねる方法の斜視図
【手続補正３】
【補正対象書類名】図面
【補正対象項目名】図３
【補正方法】追加
【補正の内容】
【図３】
2008279234.tif 000005
【手続補正４】
【補正対象書類名】図面
【補正対象項目名】図４
【補正方法】追加
【補正の内容】
【図４】
2008279234.tif 000006
【手続補正書】
【提出日】平成19年10月10日(2007.10.10)
【手続補正２】
【補正対象書類名】手続補正書
【補正対象項目名】手続補正１
【補正方法】変更
【補正の内容】
【手続補正１】
【補正対象書類名】明細書
【補正対象項目名】０００６
【補正方法】変更
【補正の内容】
【０００６】    本発明の具体的な形態は、次のとおりである。
（１）枕の外被は、円筒形および変形円筒形であり、接地面に本素材の挿入用ファスナーを有する。外被素材は綿が望ましい。クッションにおいても同様である。
（２）本素材を図１あるいは図２に形成し、枕およびクッションの外被に挿入する。弾性力保持のためには、中心部からロール状の巻き加工を行い、積層を加えることが望ましい。このロール状巻き加工は、本素材の有する低反発力を増幅させることとなる。
（３）枕およびクッションの形状に応じて複数のロール状巻き加工を行なう。複数のロール状巻き加工を行なう場合には、外側にもう一度巻き加工することが望ましい。
（４）使用する個人は、本素材に加減調整をおこない、自分の好みの高さと弾力を調整する。本素材はハサミで容易に切断可能である。なお、販売流通においては、製造者が本素材を多めに充填し、使用する個人がハサミ等による切断・減少の方法にて調整が可能となる。
（５）上記とは別段の方法として、使用する個人が自分の好みの高さと弾力を調整することを容易にするため、円筒形の枕外被に本素材をロール状にて挿入した複数個を枕カバー［図３］にて束ねる方法［図４］がある。組み合わせる円筒形のそれぞれの直径は、６ｃｍから１２ｃｍの１ｃｍ単位が望ましい。枕カバー内側と枕外被の外側にはマジックテープ（登録商標）を装着し、付帯する紐の結束にて個人が好む高さと弾力を調整することが可能となる。


【手続補正２】
【補正対象書類名】手続補正書
【補正対象項目名】手続補正２
【補正方法】変更
【補正の内容】
【手続補正２】
【補正対象書類名】明細書
【補正対象項目名】０００８
【補正方法】変更
【補正の内容】
【０００８】
【図１】本素材を中心部からロール状巻き加工を施した斜視図である。
【図２】本素材を中心部からロール状巻き加工を施した斜視図である。
【図３】枕カバー
【図４】複数個を枕カバーにて束ねる方法の斜視図